(57)【要約】      （修正有）【課題】窓付封筒に封入した際に用紙に印刷された特定情報が窓部から視認可能なように用紙に対して折りを施すこと。【解決手段】封筒が窓付封筒であると確認されると、封筒の封筒サイズ情報と、内容物Ｐとなる用紙の用紙折り方情報と、用紙サイズ情報とに基づき、用紙に折りを施したときの特定情報印刷面における搬送方向長さが、封筒の窓付面における搬送方向長さよりも長さ調整値だけ短くなるように第１突当部材１２ａ及び第２突当部材１２ｂを移動させて用紙との当接位置を調整する。【選択図】図２
2015205763.tif 000002
【特許請求の範囲】
【請求項１】
窓部が設けられた窓付面を有する窓付封筒に内容物として封入され前記窓部から視認される特定情報が印刷された用紙に所定の折りを施す折り手段と、
前記用紙の折り位置を位置決めする折り位置決め手段と、
前記封筒が窓付封筒であると判断したときは、前記用紙が内容物として前記封筒に封入されたときに当該封筒における前記窓付面と対向する特定情報が印刷された特定情報印刷面を特定し、さらに前記特定情報印刷面の搬送方向長さが、前記窓付面の搬送方向長さに適切に収まるように前記用紙に対する前記折り位置決め手段の当接位置を位置決めする制御部と、
を備えたことを特徴とする用紙折り装置。
【請求項２】
前記制御部は、前記特定情報印刷面の搬送方向長さが、前記封筒のサイズ情報から特定される前記窓付面の搬送方向長さよりも予め設定された長さ調整値αだけ短くなるように、前記折り位置決め手段の待機位置から前記当接位置までの移動量を算出し、この算出した前記移動量に基づいて前記折り位置決め手段を移動することを特徴とする請求項１記載の用紙折り装置。
【発明の詳細な説明】
【技術分野】
【０００１】
本発明は、封筒に封入される内容物となる用紙に所定の折りを施す用紙折り装置に関するものである。
【背景技術】
【０００２】
下記特許文献１には、内容物のサイズが封筒のサイズよりも小さい場合に、内容物が封筒内で移動することで内容物の折れや印刷汚れが発生したり、内容物の端縁が封筒に設けられた開封用ミシン目に掛かり、開封時に封筒と共に内容物が破損したりすることを防止するため、内容物を所定の折り数で折り畳んだ際に、この折り線と直交する搬送方向長さが、封筒の搬送方向長さの基準長さよりも短い場合に封筒の搬送方向長さと等しくなるように内容物の折り位置を制御する封書作製装置について開示されている。
【先行技術文献】
【特許文献】
【０００３】
【特許文献１】特開２０１２−１７１６７１号公報
【発明の概要】
【発明が解決しようとする課題】
【０００４】
ところで、封筒には、封入された内容物の内容が外側から確認できない一般的な封筒の他に、封筒の正面に所定サイズの切欠きを設け、そこに透明又は半透明のフィルムを貼着して形成され、封筒を開封せずに内容物に印刷された受取人や差出人を特定するための情報（例えば、受取人の宛先情報（郵便番号、氏名、住所又は居所）、受取人や差出人を識別する識別情報（一次元コード（バーコード）や二次元コード（ＱＲコード（登録商標）やＳＰコード）、管理番号等）、差出人の差出人情報（郵便番号、氏名、住所又は居所等）を含み、以下、これらを総じて「特定情報」という）を確認する窓部を有する、所謂、「窓付封筒」が知られている。
【０００５】
そして、このような窓付封筒を使用する場合、封筒に内容物を封入したときに内容物に印刷された特定情報が窓付封筒の窓部から視認可能なように、窓部の位置に対応させて特定情報を印刷し、封筒及び内容物における用紙幅方向のサイズもそれぞれ適合するサイズのものが使用される。
【０００６】
従って、内容物の折り方や大きさが作製する封書毎に変化する封書作製装置では、封筒や内容物のサイズを考慮しながら、封筒サイズを基準として特定情報が窓部から視認可能となり、且つ封筒に封入可能なサイズとなるように内容物に対して適切な折りを施す必要がある。
【０００７】
しかしながら、特許文献１に開示される装置では、内容物の搬送方向長さが封筒の搬送方向長さよりも所定の基準長さ短い場合に折り位置を変えて内容物が封筒内で移動しないように折り位置を位置決めしているが、窓付封筒における窓部の位置を考慮して内容物の折り位置を位置決めする装置ではない。従って、特許文献１のように、内容物の搬送方向長さが封筒の搬送方向長さよりも所定の基準長さ短いという条件のみで折り位置を変更してしまうと、内容物を封入したときに窓部の位置と特定情報の位置とが一致しなかったり、内容物が封筒内で移動してしまったりする虞があり、完成した封書の品質が低下するという問題があった。
【０００８】
そこで、本発明は上記問題点に鑑みてなされたものであり、窓付封筒の窓部から内容物に印刷された特定情報が視認可能なように適正な位置で内容物に折りを施すことのできる用紙折り装置を提供することを目的とするものである。
【課題を解決するための手段】
【０００９】
上記した目的を達成するため、請求項１記載の用紙折り装置は、窓部が設けられた窓付面を有する窓付封筒に内容物として封入され前記窓部から視認される特定情報が印刷された用紙に所定の折りを施す折り手段と、
前記用紙の折り位置を位置決めする折り位置決め手段と、
前記封筒が窓付封筒であると判断したときは、前記用紙が内容物として前記封筒に封入されたときに当該封筒における前記窓付面と対向する特定情報が印刷された特定情報印刷面を特定し、さらに前記特定情報印刷面の搬送方向長さが、前記窓付面の搬送方向長さに適切に収まるように前記用紙に対する前記折り位置決め手段の当接位置を位置決めする制御部と、
を備えたことを特徴とする。
【００１０】
請求項２記載の用紙折り装置は、請求項１記載の用紙折り装置において、前記制御部は、前記特定情報印刷面の搬送方向長さが、前記封筒のサイズ情報から特定される前記窓付面の搬送方向長さよりも予め設定された長さ調整値αだけ短くなるように、前記折り位置決め手段の待機位置から前記当接位置までの移動量を算出し、この算出した前記移動量に基づいて前記折り位置決め手段を移動することを特徴とする。
【発明の効果】
【００１１】
請求項１記載の用紙折り装置によれば、折り位置決め手段の用紙との当接位置を適宜移動させて特定情報印刷面が封筒の窓付面における大きさに適合するように用紙に折りを施すため、封書として完成したときに、用紙の特定情報が封筒の窓部から確実に視認でき、また封書を郵送した際にも封筒内で用紙が暴れずに特定情報が窓部からズレることがない。
【００１２】
請求項２記載の用紙折り装置によれば、封筒の窓付面における搬送方向長さよりも用紙の特定情報印刷面における搬送方向長さが長さ調整値αだけ短くなるように位置決め手段を待機位置から当接位置まで移動制御しているため、用紙の折り方やサイズに関係なく、常に特定情報印刷面の大きさが封筒の窓付面における大きさに適合するように折り位置が制御され、封筒に封入した用紙の特定情報が封筒の窓部から確実に視認可能となる。従って、封書を郵送したときでも封筒内で用紙が暴れず特定情報が窓部からズレることがない。
【図面の簡単な説明】
【００１３】
【図１】本発明に係る用紙折り装置が搭載される封書作製装置の構成例を示す概略構成図である。
【図２】本装置の構成例を示す装置構成図である。
【図３】本装置の機能ブロック図である。
【図４】（ａ）は用紙の折り方として内三つ折りを説明した図であり、（ｂ）は用紙の折り方として外三つ折り（Ｚ折り）を説明した図であり、（ｃ）は用紙の折り方として四つ折りを説明した図である。
【図５】（ａ）は用紙を内三つ折りしたときの各折り位置の折り方及び特定情報印刷面の印刷位置を示す図であり、（ｂ）は用紙を外三つ折りしたときの各折り位置の折り方及び特定情報印刷面の印刷位置を示す図であり、（ｃ）は用紙を四つ折りしたときの各折り位置の折り方及び特定情報印刷面の印刷位置を示す図である。
【図６】本発明で使用する窓付封筒及び内容物となる用紙における各部の名称を説明した図である。
【発明を実施するための形態】
【００１４】
以下、本発明を実施するための形態について、添付した図面を参照しながら詳細に説明する。また、この実施の形態によって本発明が限定されるものではなく、この形態に基づいて当業者等により考え得る実施可能な他の形態、実施例及び運用技術等は全て本発明の範疇に含まれるものとする。
【００１５】
［封書作製装置について］
まず、本発明に係る用紙折り装置１が搭載される封書作製装置１００について説明する。
図１に示すように、封書作製装置１００は、完成品である封書に封入される内容物Ｐや封筒フォームＰＥに対して所定の印刷処理を施す印刷ユニット（印刷装置）１１０と、印刷ユニット１１０で所定の印刷処理が施された内容物Ｐや封筒フォームＰＥに必要な折りを施した後に封筒フォームＰＥで内容物Ｐを包み込むように封入し封緘して封書を作製する封入封緘ユニット１２０（封入封緘装置）とで構成されている。
【００１６】
＜印刷ユニットについて＞
印刷ユニット１１０は、封筒フォームＰＥや内容物Ｐに所定の印刷処理を施して後段の封入封緘ユニット１２０に排出する装置である。
詳述すると、装置筐体の内部や側面等に複数種類の用紙（内容物Ｐとなる枚葉状の用紙Ｐ１〜Ｐ３や封筒フォームＰＥ）を所定のタイミングで各用紙を給紙する給紙部１１１と、導入路１１２からの用紙を搬送するループ状の搬送経路１１３、シアン（Ｃ）、マゼンタ（Ｍ）、イエロー（Ｙ）、ブラック（Ｋ）の各色のインクをそれぞれ吐出する４つのインクジェットヘッドＣ、Ｋ、Ｍ、Ｙからなる印刷手段１１４と、用紙を封入封緘ユニット１２０に排出する第１の排出路１１５と、用紙をループ外に排出する第２の排出路１１６と、搬送経路１１３を搬送されてきた用紙を受け入れた後に逆行させて搬送経路１１３に戻して用紙の上下を反転させるスイッチバック路１１７と、を備えている。
【００１７】
＜封入封緘ユニットについて＞
封入封緘ユニット１２０は、封筒フォームＰＥ及び内容物Ｐに対して必要な折りを施して封筒フォームＰＥで内容物Ｐを包み込むように封入封緘処理をして封書を作製する装置である。なお、本形態例では封筒フォームＰＥを三つ折りにして内容物Ｐを包み込むように収容する装置であるが、封筒フォームＰＥの折り回数や折り方に関しては作製する完成物の形状や用途に応じて種々の形態があるため特に限定はされない。
【００１８】
詳述すると、内容物Ｐを搬送しながら必要に応じて所定の折りを施す内容物折り部１２１と、封筒となる封筒フォームＰＥを搬送しながら必要に応じて所定の折りを施す封筒フォーム折り部１２２と、搬送に伴って封筒フォームＰＥの一部を折り畳みながら内容物Ｐを包み込むように収容する収容部１２３と、収容部１２３で内容物Ｐが収容された状態の封筒フォームＰＥの第２折り位置で折りを施してフラップを形成して封筒フォームＰＥを封筒形状にするフラップ折り部１２４と、フラップの折り位置を位置決めするための待機経路として機能し封筒フォームＰＥに予め転写された再湿糊部分に水を塗布する水塗布処理部１２５と、搬送に伴って水塗布後の封筒を封緘する封緘部１２６と、封緘処理された封書を装置筐体外部まで上昇搬送させた後、排出トレイ１２７ａまで水平に排出搬送する排出部１２７と、を備えている。
【００１９】
また、封書作製装置１００は、例えば封書作製に必要な条件が設定された封書作製ジョブ等の封書作製装置１００を構成する各部を駆動するのに必要な情報を記憶する統括記憶部１２８と、封書作製装置１００を構成する各部の駆動制御を行う統括制御部１２９と、を備えている。
【００２０】
なお、封書作製ジョブには、例えば封書の作製通数、使用する封筒フォームＰＥにより作製される封筒に関する情報である封筒情報（例えば印刷枚数、フォームサイズ、封筒フォームＰＥが封筒形状となったときの封筒サイズ、窓部の有無、印刷条件（片面印刷／両面印刷）、印刷する印刷画像データ、折り方等を示す情報）と、内容物Ｐとなる用紙に関する情報である用紙情報（例えば印刷部数、内容物枚数情報、出力サイズ、印刷条件（片面印刷／両面印刷）、印刷する印刷画像データ、折り方、後述する特定情報の印刷位置等を示す情報）等、封書を作製するのに必要な情報が含まれている。
【００２１】
また、封書作製装置１００が封書作製ジョブの入手方法としては、ユーザが使用するＰＣ等の外部端末装置から入手する方法、予め設定した封書作製ジョブを記憶させたＵＳＢメモリ等の補助記憶装置を介して入手する方法、装置本体に各種入力キーやタッチパネル等で構成される設定入力手段を具備させ封書作製ジョブを設定する方法、予め設定した封書作製ジョブを記憶する外部サーバから通信ネットワークを介して入手する方法等がある。
【００２２】
そして、本発明に係る用紙折り装置１は、上述した封書作製装置１００における「内容物折り部１２１」に相当し、内容物Ｐとなる用紙の所定箇所に印刷された特定情報（この情報は、封筒を開封せずに内容物Ｐに印刷された受取人や差出人を特定するための情報であり、例えば受取人の宛先情報（郵便番号、氏名、住所又は居所）、受取人や差出人を識別する識別情報（一次元コード（バーコード）や二次元コード（ＱＲコード（登録商標）やＳＰコード）、管理番号等）、差出人の差出人情報（郵便番号、氏名、住所又は居所等）を含む）が封入先となる封筒における窓部から視認可能なように内容物Ｐにおける搬送方向長さＸを位置決めして折りを施す装置である。
【００２３】
［用紙折り装置について］
次に、本発明に係る用紙折り装置１について図２〜図６を参照しながら説明する。
本例の用紙折り装置１は、上述した封入封緘ユニット１２０の内容物折り部１２１に相当し、図２又は図３に示すように、封筒に封入される内容物Ｐとなる用紙を搬送しながら封書作製ジョブで設定された折り方で折りを施す装置であり、用紙折り部１０と、記憶部２０と、制御部３０とを備えて構成されている。
【００２４】
なお、以下の説明では、図６に示すように用紙に所定回数の折りが施されることで形成される折り片のうち、用紙が内容物として封筒に封入されたときに当該封筒における窓部が設けられた窓付面（すなわち、封筒フォームＰＥに折りを施したときの窓部が設けられた折り片の面）と対向する特定情報が印刷された折り片の面を「特定情報印刷面」として定義する。
【００２５】
また、本装置によって折りが施される封書の内容物Ｐは、例えば通常の枚葉紙（サイズ、厚さ等は作製する封書に応じて任意に選択される）や不定形サイズの用紙等の各種用紙であるため、以下の説明では単に「用紙」ということもある。
【００２６】
さらに、以下の実施形態では、用紙折り部１０を構成するローラ群（後述する第１ローラ１１ａ〜第４ローラ１１ｄの４つのローラ）によって用紙に対して所定の折り位置で折りを２回施す構成例である。用紙の折り方としては、図４（ａ）又は図５（ａ）に示す内三つ折り（第１折り片の上に第２折り片が重なる状態とするため、用紙を展開したときに第１折り位置と第２折り位置の折り方が共に谷折りとなる）、図４（ｂ）又は図５（ｂ）に示す外三つ折り（第１折り片と第２折り片とが重ならない略Ｚ形状となるため、用紙を展開したときに第１折り位置の折り方が山折り、第２折り位置の折り方が谷折りとなる）、図４（ｃ）又は図５（ｃ）に示す四つ折り（二つ折りした状態でさらに二つ折りをするため、用紙を展開したときに第１折り位置の折り方が谷折り、第２折り位置のうち一方の折り位置が谷折り、他方の折り位置が山折りとなる）の３パターンを例に挙げる。
【００２７】
なお、図４又は図５に示した内三つ折り、外三つ折り、四つ折りにおける各折り位置の折り方（谷折り、山折り）は、用紙の搬送方向の表裏向き、封筒への封入方向、特定情報の印刷位置に依存するため、あくまで一例とする。
【００２８】
用紙折り部１０は、用紙を前段の印刷ユニット１１０から受け入れた用紙に対し、規制搬送路１３に沿って搬送しながら所定の折り回数だけ折りを施す折り手段１１と、用紙に折りを施す際の折り位置を位置決めするため折り位置決め手段１２とを備えている。
【００２９】
折り手段１１は、制御部３０の制御により、印刷ユニット１１０で印刷処理された印刷済み用紙を搬入し、この用紙に対して封書作製ジョブで設定された折り方で用紙を規制搬送路１３に沿って挟持搬送しながら所定の折りを施した後、後段（収容部１２３）に向けて挟持搬送する。折り手段１１は、図２に示すように第１ローラ１１ａ〜第４ローラ１１ｄからなるローラ群で構成されている。
【００３０】
折り手段１１における折りローラ対の組合せとしては、第１ローラ１１ａと第２ローラ１１ｂとで第１ローラ対を構成し、用紙を搬入して第１折り位置を位置決めするため後述する第１突当部材１２ａに用紙が突き当たるまで第１規制搬送路１３ａに沿って搬送する。また、第２ローラ１１ｂと第３ローラ１１ｃとで第２ローラ対を構成し、第１突当部材１２ａに突き当たった用紙に第１折り位置で折りを施した後、第２の折り位置を位置決めするため後述する第２突当部材１２ｂに用紙が突き当たるまで第２規制搬送路１３ｂに沿って搬送する。さらに、第３ローラ１１ｃと第４ローラ１１ｄとで第３ローラ対を構成し、第２折り位置が位置決めされた用紙に対して折りを施した後、後段の収容部１２３に搬出する。
【００３１】
折り位置決め手段１２は、第１規制搬送路１３ａ上に用紙の搬送方向に沿って摺動自在に設けられ用紙に対する第１折り位置を位置決めするための板状部材からなる第１突当部材１２ａと、第２規制搬送路１３ｂ上に用紙の搬送方向に沿って摺動自在に設けられ用紙に対する第２折り位置を位置決めするための板状部材からなる第２突当部材１２ｂとで構成される。折り位置決め手段１２は、用紙の特定情報印刷面の搬送方向長さＸが封筒の窓付面における搬送方向長さＹよりも記憶部２０に記憶される長さ調整値αの分だけ短くなるように、制御部３０の制御によって第１突当部材１２ａ及び第２突当部材１２ｂが適宜移動される。
【００３２】
記憶部２０は、例えばＥＥＰＲＯＭやフラッシュメモリ等の不揮発性メモリやＤＲＡＭやＳＤＲＡＭ等の揮発性メモリを含む各種半導体メモリ、ＨＤＤ等の各種記憶装置で構成され、用紙折り装置１を構成する各部の駆動制御情報を記憶している。
【００３３】
また、記憶部２０は、用紙が収容される封筒の窓付面における搬送方向長さＹに対して所定長さだけ短くして、封入した用紙が封筒内で暴れず、且つ特定情報が窓部から視認可能な位置となるように用紙の特定情報印刷面における搬送方向長さＸを調整する長さ調整値αを記憶している。この長さ調整値αは、図６に示すように使用する封筒の窓付面における搬送方向長さＹに対して用紙の特定情報印刷面における搬送方向長さＸが所定長さ（例えば３〜５ｍｍ程度）短くなるようにするための折り位置調整用の設定値である。
【００３４】
なお、長さ調整値αは、封筒の窓付面における搬送方向長さＹに対して用紙の特定情報印刷面における搬送方向長さＸを所定長さだけ短くして封筒の窓部の位置から特定情報が視認可能となるように、用紙における特定情報印刷面となる折り片の折り位置を調整するための値である。従って、本装置を運用する上で、長さ調整値αの調整を行った際に、封筒の窓付面に設けられた窓部の大きさや位置と、特定情報印刷面における特定情報の印刷面積の大きさや位置とが適合するように予め封筒フォームＰＥ及び用紙が作成されていることが条件となる。
【００３５】
制御部３０は、例えばＣＰＵ（Central Processing Unit ）やＲＯＭ（Read Only Memory），ＲＡＭ（Random Access Memory）又はこれらの機能を具備するＭＰＵ（Micro-Processing Unit ）等のプロセッサで構成され、用紙折り装置１を構成する各部の駆動制御を行っている。
【００３６】
また、制御部３０は、封書作製ジョブに含まれる窓部有無情報から封筒が窓付封筒であるか否かを判断し、封筒が窓付封筒であると判断すると、同じく封書作製ジョブに含まれる用紙折り方情報、特定情報印刷位置情報及び用紙サイズ情報に基づき、用紙の特定情報印刷面を特定し、さらに特定情報印刷面における搬送方向長さＸが封筒の窓付面における搬送方向長さＹよりも長さ調整値αだけ短くなるように第１突当部材１２ａ及び第２突当部材１２ｂが待機位置から移動する移動量を算出して用紙における特定情報印刷面を規定する特定情報印刷面規定手段３１を備えている。
【００３７】
特定情報印刷面規定手段３１は、特定情報印刷面規定手段３１で算出した移動量に基づいて折り位置決め手段１２を駆動制御している。つまり、制御部３０は、封書作製ジョブに含まれる封筒サイズ情報、用紙折り方情報、特定情報印刷位置情報、用紙サイズ情報から特定情報印刷面規定手段３１で算出した第１突当部材１２ａ及び第２突当部材１２ｂの移動量に基づき、第１突当部材１２ａ及び第２突当部材１２ｂを規制搬送路１３に沿って待機位置から所定距離移動させることで、内容物として封筒に収容される用紙の特定情報印刷面のサイズを規定している。
【００３８】
そして、上述した用紙折り装置１を封書作製装置１００に搭載して運用した際の処理動作としては、まず封書作製ジョブが開始されると、このジョブ内容から封筒が窓付封筒であるか否かを確認する。
【００３９】
次に、封筒が窓付封筒であると確認されると、封書作製ジョブに含まれる封筒サイズ情報、用紙折り方情報、特定情報印刷位置情報及び用紙サイズ情報に基づき、用紙に折りを施したときの特定情報印刷面における搬送方向長さＸが、封筒の窓付面における搬送方向長さＹよりも長さ調整値αだけ短くなるように折りを施すべく、第１突当部材１２ａ及び第２突当部材１２ｂの待機位置からの移動量を特定印刷面規定手段３１で算出する。
【００４０】
次に、算出した移動量に基づいて第１突当部材１２ａ及び第２突当部材１２ｂを規制搬送路１３に沿って適宜移動した後、印刷ユニット１１０から搬送された印刷済み用紙に対して用紙折り方情報に基づく折り方で用紙を搬送しながら折りを施す。このとき、この折り工程により形成される特定情報印刷面における搬送方向長さＸが、封筒の窓付面における搬送方向長さＹよりも長さ調整値αだけ短くなるように用紙に折りが施される。そして、所定の折りが施された用紙は、後段の収容部１２３に搬送される。
【００４１】
以上説明したように、上述した用紙折り装置１は、封筒が窓付封筒であると確認されると、封書作製ジョブに含まれる封筒サイズ情報、用紙折り方情報、用紙サイズ情報に基づき、用紙に折りを施したときの特定情報印刷面における搬送方向長さＸが、封筒の窓付面における搬送方向長さＹよりも長さ調整値αだけ短くなるように第１突当部材１２ａ及び第２突当部材１２ｂを適宜移動して用紙との当接位置を調整しているため、封書として完成したときに、用紙の特定情報が封筒の窓部から確実に視認できるようになる。
【００４２】
また、封書を郵送したときでも、封筒の窓付面における搬送方向長さＹに対して用紙の特定情報印刷面における搬送方向長さＸが長さ調整値αだけしか小さくなっていないため、封書を郵送したときでも特定情報が窓部からズレることがない。
【００４３】
さらに、封筒サイズ情報、用紙折り方情報及び用紙サイズ情報に応じて、封筒の窓付面における搬送方向長さＹよりも用紙の特定情報印刷面における搬送方向長さＸが長さ調整値αだけ短くなるようにしているため、用紙の折り方やサイズに関係なく、常に特定情報印刷面の大きさが封筒の窓付面における大きさに適合するように折り位置を制御することができる。
【００４４】
［その他の実施形態について］
なお、本発明は上記各実施形態に限定されるものではなく、例えば以下に示すように使用環境等に応じて適宜変更して実施することもできる。また、以下の変更例を本発明の要旨を逸脱しない範囲の中で任意に組み合わせて実施することもできる。
【００４５】
上述した形態では、用紙の折り方として内三つ折り、外三つ折り、四つ折りの３パターンの折りを可能とするローラ数や配置となるような装置構成例で説明したが、これに限定されることはなく、例えば二つ折り、観音折り、蛇腹折り（Ｗ折り）、又は複数の折り方を任意に組み合わせた折り方（クロス折り）等の種々の折り方で用紙に折りを施してもよい。このような種々の折り方に対応させるように、装置構成として折り手段１１におけるローラ数を適宜増加させ、目的とする折りが実施可能に配置すればよい。
【００４６】
なお、ローラの配置や数が変更された場合であっても、用紙を封筒に封入したときに封筒の窓付面における搬送方向長さＹから長さ調整値αだけ短くなるように折り位置決め手段１２を駆動制御して特定情報印刷面における搬送方向長さＸを調整すればよい。
【００４７】
また、上述した形態では、封筒の窓付面における搬送方向長さＹよりも長さ調整値αだけ用紙の特定情報印刷面における搬送方向長さＸが短くなるように用紙に折りを施しているが、これは用紙の搬送方向と直交する用紙幅方向の長さが封筒サイズに依存するため、予め封筒フォームＰＥ及び用紙が共に適合するサイズを使用することが条件となっている。
【００４８】
しかしながら、他の形態例として、例えば封筒フォームＰＥのサイズに適合しない用紙が選択されている場合に、用紙の幅方向に対する折りを施して封筒に封入可能な大きさにサイズ調整するための折り機構を追加した構成とすれば、用紙と封筒のサイズが適合していない場合でも対応可能となる。なお、用紙の幅方向に対する折りは、用紙サイズ情報と封筒サイズ情報に加えて用紙に印刷された内容の位置情報と余白位置情報を鑑みて適宜折り量を調整すればよい。
【００４９】
さらに、封書作製装置１００において印刷ユニット１１０となる印刷装置の構成としてインクジェット記録装置を用いた例で説明したが、作製する封書の作製内容に応じて内容物Ｐや封筒フォームＰＥ等に所望の画像形成が可能であればよいため、インクジェット記録装置の他に例えば孔版印刷装置、複写機、レーザプリンタ等の各種画像形成装置を採用してもよい。
【００５０】
また、上述した実施例では、用紙折り装置１に記憶部２０及び制御部３０を具備する構成で説明したが、本装置が搭載される封書作製装置１００の統括記憶部１２８及び統括制御部１２９が、その機能を賄ってもよい。
【符号の説明】
【００５１】
１…用紙折り装置
１０…用紙折り部
１１…折り手段（１１ａ…第１ローラ、１１ｂ…第２ローラ、１１ｃ…第３ローラ、１１ｄ…第４ローラ）
１２…折り位置決め手段（第１突当部材１２ａ、第２突当部材１２ｂ）
１３…規制搬送路（１３ａ…第１規制搬送路、１３ｂ…第２規制搬送路）
２０…記憶部
３０…制御部（３１…特定情報印刷面規定手段）
１００…封書作製装置
１１０…印刷ユニット（印刷装置）
１２０…封入封緘ユニット（封入封緘装置）
Ｐ…内容物（折りが施される用紙）
ＰＥ…封筒フォーム
【図１】
2015205763.tif 000003
【図２】
2015205763.tif 000004
【図３】
2015205763.tif 000005
【図４】
2015205763.tif 000006
【図５】
2015205763.tif 000007
【図６】
2015205763.tif 000008